(57)【要約】【課題】車輌走行中に放送電波の状況が悪化しても音質の良い曲を再生できるようにすることを目的とする。【解決手段】放送波を受信し音声再生する放送波受信手段を有する音声再生装置において、曲データを記憶する曲記憶手段と、放送中の放送曲と同一の記憶曲を前記曲記憶手段から検索する同一曲検索手段と、前記同一曲検索手段により、放送曲と同一の記憶曲が検索された場合に、該放送曲に変えて同一の記憶曲の曲データに基づき曲を音声再生する再生置換手段とを備えたことを特徴とする。【選択図】図１
2004246940.tif 000002
【特許請求の範囲】
【請求項１】
放送波を受信し音声再生する放送波受信手段を有する音声再生装置において、
曲データを記憶する曲記憶手段と、
放送中の放送曲と同一の記憶曲を前記曲記憶手段から検索する同一曲検索手段と、
前記同一曲検索手段により、放送曲と同一の記憶曲が検索された場合に、該放送曲に変えて同一の記憶曲の曲データに基づき曲を音声再生する再生置換手段とを備えたことを特徴とする音声再生装置。
【請求項２】
前記同一曲検索手段により、放送曲と同一の記憶曲が検索されなかった場合に、該放送曲の曲データを前記曲記憶手段に記憶する曲登録手段を備えたことを特徴とする請求項１に記載の音声再生装置。
【請求項３】
前記放送波受信手段は曲識別データを含む放送波を受信する機能を有し、前記同一曲検索手段は前記放送波に含まれる曲識別データに基づき放送曲と同一の記憶曲を検索することを特徴とする請求項１または請求項２に記載の音声再生装置。
【請求項４】
前記同一曲検索手段は、前記曲記憶手段に記憶された曲データにおける音声波形と、受信放送波における音声波形とを比較して、同一曲か否かの判断を行うことを特徴とする請求項１または請求項２に記載の音声再生装置。
【請求項５】
前記放送受信手段はＦＭステレオ放送波を受信する機能を有し、
前記同一曲検索手段は、
前記曲記憶手段に記憶された曲データにおける左チャンネル信号と右チャンネル信号を加算する左右信号加算手段と、
前記左右信号加算手段により出力される加算音声信号と、ＦＭステレオ放送における左右チャンネルの和信号を比較する比較手段とを有することを特徴とする請求項４に記載の音声再生装置。
【請求項６】
音声波形の比較を所定時間行う比較時間制限手段と、
前記比較時間制限手段における制限時間長を調整する時間長調整手段とを備えたことを特徴とする請求項４，または請求項５に記載の音声再生装置。
【請求項７】
音声波形の比較開始位置を指定する比較開始位置指定手段を備えたことを特徴とする請求項６に記載の音声再生装置。
【請求項８】
前記放送波受信手段は、曲データを圧縮した圧縮放送曲データを含む放送波を受信するとともに、前記曲記憶手段は放送波に含まれる圧縮形式と同じ形式で圧縮された圧縮記憶曲データを記憶し、
前記同一曲検索手段は、圧縮放送曲データと圧縮記憶曲データとを比較して同一曲か否かの判断を行うことを特徴とする請求項４に記載の音声再生装置。
【請求項９】
前記放送波受信手段は複数の曲データを含む放送波を受信する機能を有し、
前記曲登録手段は、受信した放送波に含まれる複数の放送曲データの内、前記曲記憶手段に記憶されていない複数の放送曲を登録することを特徴とする請求項２に記載の音声再生装置。
【請求項１０】
前記音声再生装置は車載用であって、
前記曲登録手段は、放送波受信再生状態でなくても、エンジン動作時には、放送曲を登録することを特徴とする請求項２または請求項９に記載の音声再生装置。
【請求項１１】
前記再生置換装置は、再生中の放送曲と対応する記憶曲とを同期させて放送曲から記憶曲への再生切換を行うことを特徴とする請求項１から請求項１０の何れかの請求項に記載の音声再生装置。
【請求項１２】
再生拒否する曲を識別する拒否データを記憶する拒否曲記憶手段と、
放送中の放送曲が前記拒否曲記憶手段に記憶された拒否データに該当する曲であった場合に、該放送曲に変えて所定代替条件に該当する記憶曲の曲データに基づき曲を音声再生する再生代替手段とを備えたことを特徴とする請求項１から請求項１１の何れかの請求項に記載の音声再生装置。
【請求項１３】
前記記憶曲を選択するための前記所定代替条件を設定するための代替曲条件設定手段を備えたことを特徴とする請求項１２に記載の音声再生装置。
【発明の詳細な説明】
【０００１】
【発明の属する技術分野】
本発明は放送波を受信し音声再生する放送波受信手段を有する音声再生装置に関する。
【０００２】
【従来の技術】
放送波は受信する地形や受信地域の建築環境により受信感度が大きく影響される。とりわけ、車載される音声再生装置の受信部の受信感度は、走行中の地形や走行地の建築環境の変化に大きく影響される。このために再生される音声は聞きづらくなり、トンネル内や地下道では放送波からの音声はほとんど再生できずに途切れてしまう。放送波からの音楽はドライブを楽しませてくれるが、放送波の受信感度レベルが低下した場合の音質の劣化や音声の途切れは、楽しい音楽であるほど聞いているときの気分が壊される。
【０００３】
【特許文献１】
特開平１０−１６３９１１号公報
【０００４】
【発明が解決しようとする課題】
本発明はこのような問題を解決するもので、車輌走行中に電波状態が悪化しても高品質の曲を再生できるようにすることを課題とする。さらに使用者が再生する高品質の曲を手軽に、多様に準備できるようにすることを課題とする。
【０００５】
【課題を解決するための手段】
上記課題を解決するために本発明は、放送波を受信し音声再生する放送波受信手段を有する音声再生装置において、
曲データを記憶する曲記憶手段と、放送中の放送曲と同一の記憶曲を前記曲記憶手段から検索する同一曲検索手段と、前記同一曲検索手段により、放送曲と同一の記憶曲が検索された場合に、該放送曲に変えて同一の記憶曲の曲データに基づき曲を音声再生する再生置換手段とを備えたことを特徴とする。
【０００６】
また、前記同一曲検索手段により、放送曲と同一の記憶曲が検索されなかった場合に、該放送曲の曲データを前記曲記憶手段に記憶する曲登録手段を備えたことを特徴とする。
【０００７】
また、前記放送波受信手段は曲識別データを含む放送波を受信する機能を有し、前記同一曲検索手段は前記放送波に含まれる曲識別データに基づき放送曲と同一の記憶曲を検索することを特徴とする。
【０００８】
また、前記同一曲検索手段は、前記曲記憶手段に記憶された曲データにおける音声波形と、受信放送波における音声波形とを比較して、同一曲か否かの判断を行うことを特徴とする。
【０００９】
また、前記放送受信手段はＦＭステレオ放送波を受信する機能を有し、前記同一曲検索手段は、前記曲記憶手段に記憶された曲データにおける左チャンネル信号と右チャンネル信号を加算する左右信号加算手段と、前記左右信号加算手段により出力される加算音声信号と、ＦＭステレオ放送における左右チャンネルの和信号を比較する比較手段とを有することを特徴とする。
【００１０】
また、音声波形の比較を所定時間行う比較時間制限手段と、前記比較時間制限手段における制限時間長を調整する時間長調整手段とを備えたことを特徴とする。
【００１１】
また、音声波形の比較開始位置を指定する比較開始位置指定手段を備えたことを特徴とする。
【００１２】
また、前記放送波受信手段は、曲データを圧縮した圧縮放送曲データを含む放送波を受信するとともに、前記曲記憶手段は放送波に含まれる圧縮形式と同じ形式で圧縮された圧縮記憶曲データを記憶し、前記同一曲検索手段は、圧縮放送曲データと圧縮記憶曲データとを比較して同一曲か否かの判断を行うことを特徴とする。
【００１３】
また、前記放送波受信手段は複数の曲データを含む放送波を受信する機能を有し、前記曲登録手段は、受信した放送波に含まれる複数の放送曲データの内、前記曲記憶手段に記憶されていない複数の放送曲を登録することを特徴とする。
【００１４】
また、前記音声再生装置は車載用であって、前記曲登録手段は、放送波受信再生状態でなくても、エンジン動作時には、放送曲を登録することを特徴とする。
【００１５】
また、前記再生置換装置は、再生中の放送曲と対応する記憶曲とを同期させて放送曲から記憶曲への再生切換を行うことを特徴とする。
【００１６】
また、再生拒否する曲を識別する拒否データを記憶する拒否曲記憶手段と、放送中の放送曲が前記拒否曲記憶手段に記憶された拒否データに該当する曲であった場合に、該放送曲に変えて所定代替条件に該当する記憶曲の曲データに基づき曲を音声再生する再生代替手段とを備えたことを特徴とする。
【００１７】
また、前記記憶曲を選択するための前記所定代替条件を設定するための代替曲条件設定手段を備えたことを特徴とする。
【００１８】
【発明の実施の形態】
次に本発明の実施の形態について説明する。図１は本発明の実施の形態に係わる音声再生装置の構成を示す構成図である。１はラジオ・テレビ等の放送波受信機能を有する音声再生装置である。
【００１９】
２はラジオ・テレビ等の放送波を受信するチューナで、アナログ放送の他に各方式の放送波を受信し、復調して出力する。アナログ放送の場合は復調信号であるアナログ音声信号を出力し、デジタル放送の場合は変調する前のデジタル信号を出力する。またアナログ多重放送の場合は放送波に多重化されているデジタル信号も出力する。
【００２０】
３はデコーダで、エンコードされた放送波のデジタル信号を元（放送局で各種の処理が施される前）のデジタル信号に戻して出力する。放送局で変調する前のデジタル信号は、複数のデータを混合する処理、エラー検出用のデータを付加する処理、音質を良くするための処理等が施される（エンコードされる）。デコーダ３は、エンコードされたデジタル信号に対して逆の処理である、エラー訂正処理、データの組替え処理、データ分離処理等を行い元のデジタル信号（音声信号、画像信号）に戻し出力するもので、デジタル回路網で構成されている。
【００２１】
４はＡ／Ｄ（アナログデジタル）変換器で、チューナ２からのアナログ信号をデジタル信号に変換する回路である。
【００２２】
５ａ、５ｂはＤ／Ａ（デジタルアナログ）変換器で、デジタル信号をアナログ信号に変換する回路で、デジタルの音楽信号を音声再生可能なアナログの音楽信号に変換する。
【００２３】
６は圧縮回路で、音楽信号や映像信号を所定の規則に従って、圧縮する回路であり、デジタル回路網で構成されている。アナログ放送による音楽信号をハードディスク等の記憶装置に記録する場合に用いられる。尚、後述する構成と異なり、アナログ放送による音楽信号はハードディスクへ１３の記録対象としない設定を行った実施例の場合は本圧縮回路は不必要である。
【００２４】
７はマイコンで、ＲＯＭから必要なプログラム、データを読み込み、各種の処理、各構成要素の動作制御を行うＣＰＵ、プログラムや各種データが記憶されているＲＯＭ、ＣＰＵの各種データ処理のためにデータを一時的に記憶するＲＡＭ等から構成され、図示は省略するが、処理条件や制御条件等の各種データを入力するための入力装置（操作部）１４や各種情報を表示する表示装置１５等が接続される。
【００２５】
８ａ、８ｂは伸張回路で、圧縮されたデータを、規則に従って補完するなどして略元の音楽信号や画像信号に戻す。
【００２６】
９は再生元選択部で、マイコン７からの制御信号に応じて複数の入力信号から出力信号を選択する回路で、トランジスタで構成される電子スイッチやリレーなどの機械的スイッチで構成される。
【００２７】
１０は、再生元選択部９から出力される音声信号を音声化して出力する音生成部で音声信号を電力増幅するアンプ１１とアンプ１１の出力信号を電気音声変換するスピーカ１２から構成される。
【００２８】
１３はハードディスク（ＨＤＤ）で、曲データが記録されている記憶装置である。マイコン７の制御によりデータが記録される。また記録されたデータは、マイコン７の制御により読み出される（検出される）。記録容量を少なく（記録件数を多く）するために、圧縮回路６により圧縮されてデータが記録され、また圧縮され記録されたデータがＨＤＤから読み出される場合は、マイコンの制御により伸張回路８において伸張されてマイコン７に出力されたり、再生元選択部９に出力される。
【００２９】
次に各放送波の受信状態における音声再生装置の動作について順番に説明する。
【００３０】
［ＦＭ非多重ステレオ放送（アナログ放送）（曲識別データ無し）の場合］
ＦＭ非多重放送波は、チューナ２で受信、復調され、アナログの音声信号（放送曲信号）ａとなり、Ａ／Ｄ変換器４および再生元選択部９に出力される。
【００３１】
尚、音声信号には音楽曲信号（曲信号）以外にもアナウンサーの声や他の音声の信号も含まれるが、説明を分かり易くするため、曲信号以外の信号については除外して説明する。また、実際の処理においては、マイコン７は音楽信号以外の信号については除外する処理を行う。例えば放送信号から音楽信号を検出する検出方法としては、音楽であることを示すデジタルデータが放送波で送信されている場合はそのデータに基づき判断し、前記デジタルデータが放送波で送信されていない場合は、若干誤動作は考えられるが、音楽とアナウンサーなどの声の間の無音の期間またはアナウンサーなどの音声による音声周波数特性などに基づき判断することとなる。
【００３２】
アナログ放送曲信号ａは、Ａ／Ｄ変換器４により非圧縮デジタル放送曲信号ｂに変換されマイコン７および圧縮器６に出力される。また、非圧縮デジタル放送曲信号ｂは圧縮器６により所定形式（ＨＤＤ１３に記録された信号の圧縮形式）に圧縮処理されて（圧縮デジタル放送曲信号ｑ）マイコン７に出力される。
【００３３】
マイコン７は、非圧縮デジタル放送曲信号ｂが入力されると、ＨＤＤ１３から記録された記憶曲データの曲頭部分の圧縮デジタル記憶曲データｆを順次読出し、伸張器８ａに出力する（圧縮デジタル記憶曲データｇ）。伸張器８ａは圧縮デジタル記憶曲データｇを伸張処理した非圧縮デジタル記憶曲データｈをマイコン７と、Ｄ／Ａ変換器５ａに出力する。そして、Ｄ／Ａ変換器５ａは、非圧縮デジタル記憶曲データｈをアナログ信号に変換し、その変換信号であるアナログ記憶曲信号ｍを再生元選択部９に出力する。
【００３４】
またマイコン７は、ＨＤＤ１３に記録された記憶曲について順次、非圧縮デジタル放送曲信号ｂと非圧縮デジタル記憶曲データｈを比較して、ＨＤＤ１３に放送曲と同一の曲が記録されているか判断する。そして同一曲が記録されていると判断した場合には、再生元選択部９に、アナログ記憶曲信号ｍをアンプ１１に出力するよう指示する制御信号ｎを出力する。すると、再生元選択部９からアナログ再生信号ｐとしてアナログ記憶曲信号ｍがスピーカ１２から音声再生される（ＨＤＤ１３に記録された放送曲を再生するまではアナログ放送曲信号ａを再生）。
【００３５】
また、ＨＤＤ１３に放送曲と同一の曲が記録されていないと判断した場合には、再生元選択部９に、アナログ放送曲信号ａをアンプ１１に出力するよう指示する制御信号ｎを出力する。すると、再生元選択部９からアナログ再生信号ｐとしてアナログ放送曲信号ａがアンプ１１に出力され、アンプ１１で電力増幅されたアナログ放送曲信号ａがスピーカ１２から音声再生される。さらに、マイコン７は、ＨＤＤ１３に記録されていない曲をＨＤＤ１３に新たに記録するために圧縮器６からの圧縮デジタル放送曲信号ｑを、記録対象デジタル放送曲信号ｏとして、ＨＤＤに出力する。
【００３６】
次にマイコン７の行う同一曲判断処理について説明を行う。本実施の形態の音声再生装置１ではＦＭ放送におけるＬ＋Ｒ信号による比較判断を行う。これは、ＦＭ放送ではＬ＋Ｒ信号とＬ−Ｒ信号が送信され、ＦＭ受信機でこれら和・差信号を加算、減算処理してＬ信号、Ｒ信号を得、ステレオ再生を行っているが、ＦＭ放送方式の特性上、Ｌ＋Ｒ信号よりもＬ−Ｒ信号の方がノイズは多くなり、曲の比較にはＬ＋Ｒ信号による比較の方が有利であるためである。このため、チューナ２からはＬ信号、Ｒ信号に加えＬ＋Ｒ信号も出力するように構成し、またＡ／Ｄ変換器４もこれら各信号をデジタル信号に変換するように構成されている。尚、圧縮器６はデジタルＬ信号、デジタルＲ信号を所定形式で処理して、ＨＤＤ１３に記録する圧縮形式の圧縮デジタル信号を生成する。またマイコン７は、伸張器８ａから出力される非圧縮デジタル記憶曲信号ｈのＬ信号とＲ信号を加算して非圧縮デジタル記憶曲信号ｈのＬ＋Ｒ信号を生成し、非圧縮デジタル放送曲信号ｂのＬ＋Ｒ信号と比較する。
【００３７】
またマイコン７は図示を省略した操作部からの信号に基づき、使用者が操作部により設定した比較時間の分だけ、非圧縮デジタル記憶曲信号ｈと非圧縮デジタル放送曲信号ｂの比較（曲頭からこの比較時間経過するまでの両データの比較）を行う。この比較時間を長くすると精度は向上するが、その分処理は遅れることになる。本例では、使用者の好みに合った比較時間とすることで、使用者の満足度を向上するようにしている。
【００３８】
尚、比較処理としては、本例のようにＬ＋Ｒ信号を用いる方法ではなく、Ｌ信号、あるいはＲ信号を用いることも可能であり、さらにＨＤＤ１３から読み出された圧縮状態の圧縮デジタル信号ｆと、圧縮器６から出力される圧縮デジタル放送曲信号ｑを比較することも可能である。
【００３９】
［ＦＭ多重ステレオ放送（アナログ放送）（曲識別データ有り）の場合］
ＦＭ多重放送波はチューナ２で受信、復調されてアナログの音声信号と曲名などのデータを含むデジタル信号が生成される。この場合も音楽信号（放送曲信号）以外のアナログ音声信号は除いて説明する。アナログ放送曲信号ａはＡ／Ｄ変換器４で非圧縮デジタル放送曲信号ｂに変換されてマイコン７および圧縮器６に出力される。また、曲名などのデータを含むデジタル信号ｃはデコーダ３に出力される。デコーダ３では、エンコードされていた曲名などを含むデジタル信号ｃはデコードされて、エンコードされる前のデータｌに復元されて、マイコン７に入力される。つまり、曲名など曲を識別するための曲識別データｌがマイコン７に出力される。曲識別データｌが入力されると、このデータとＨＤＤ１３に記録された記憶曲の曲識別データｒに基づいて、放送曲と同じ記憶曲がＨＤＤ１３に記録されているかを判断する。
【００４０】
尚、曲識別データｌは曲名、アーティスト、会場、収録日、媒体番号などの項目をデジタル信号化したものであり、これらの項目（実際には曲名とアーティスト名で略可能）を比較すれば同一と判断できる。そして判断処理後の音声再生装置１の動作については、上述の［ＦＭ非多重ステレオ放送（アナログ放送）（曲識別データ無し）の場合］と同一である。
【００４１】
［デジタル放送（曲識別データ有り）の場合］
デジタル放送波は受信部２で受信、復調されて、復調されたデジタル信号ｃがデコーダ３に出力される。そしてデコーダ３でデコードされて、放送局でエンコードされる前の圧縮デジタル放送曲信号ｅと曲識別データｌに分離され、マイコン７に出力される。また、デコーダ３は圧縮デジタル放送曲信号ｉを伸張器８ｂに出力する。そして伸張器８ｂは圧縮デジタル放送曲信号ｉを伸張処理して、非圧縮デジタル放送曲信号ｊをＤ／Ａ変換器５ｂに出力する。また、Ｄ／Ａ変換器５ｂは、入力された非圧縮デジタル放送曲信号ｊをアナログのアナログ放送曲信号ｋに変換して再生元選択部９に出力する。マイコン７は、曲識別データｌが入力されると、この曲識別データｌとＨＤＤ１３に記録された記憶曲の曲識別データｒを比較して、ＨＤＤ１３に放送曲と同一の曲が記憶されているか判断する。
【００４２】
そしてマイコン７が放送曲と同一の記憶曲が記録されていると判断した場合には、ＨＤＤ１３から読み取った該当曲の圧縮デジタル記憶曲データｆを伸張器８ａに出力するとともに、再生元選択部９にＤ／Ａ変換器５ａから出力されるアナログ曲信号ｍをアナログ再生信号ｐとしてアンプ１１に出力するよう指示する制御信号ｎを出力する。
【００４３】
また、ＨＤＤ１３に放送曲と同一の曲が記録されていないと判断した場合には、ＨＤＤ１３に記録されていない曲を新たに記録するために、デコーダ３から入力された圧縮デジタル放送曲信号ｅおよび曲識別データｌを記録対象信号としてＨＤＤ１３に出力（ｏおよびｓ）する。従ってＨＤＤ１３には放送曲信号ｅが圧縮デジタル信号形式で、曲識別データｌが曲検索用データとして記録される。またマイコン７は同時に、アナログ放送曲信号ｋをアナログ再生信号ｐとしてアンプ１１に出力するよう指示する制御信号ｎを再生元選択部９に出力する。
【００４４】
すると、再生元選択部９からアナログ再生信号ｐとしてアナログ放送曲信号ｋがアンプ１１に出力され、アンプ１１で電力増幅された放送曲信号ｋがスピーカ１２から音声再生される。
【００４５】
［デジタル放送（曲識別データ無し）の場合］
受信部２で復調されたデジタル信号ｃはデコーダ３に出力される。デコーダ３はデジタル信号ｃをデコードして得られた圧縮デジタル放送曲信号ｅをマイコン７に、また圧縮デジタル放送曲信号ｉ（ｅと同じ）を伸張器８ｂに出力する。
【００４６】
デコーダ３からの圧縮デジタル放送曲信号ｅを入力したマイコン７は、放送曲の曲識別信号ｌが無いことを判断すると、ＨＤＤ１３に記憶されている圧縮デジタル記憶曲データｆを順次読み出し、デコーダ３からの圧縮デジタル放送曲信号ｅと比較して、ＨＤＤ１３に放送曲と同一の曲が記録されているか判断する。比較方法は、両信号における曲頭から前記使用者によって設定された比較時間経過までのデータに基づいて行われる。尚、マイコン７が判断処理した後の動作は前述の［デジタル放送（曲識別データ有り）］の場合と同じである。ただしＨＤＤ１３に記録されるのは圧縮デジタル放送曲信号ｅで、曲識別データは記録されないこととなる。尚、後日同一曲のアナログ多重放送曲（曲データ有り）またはデジタル放送曲（曲データ有り）を受信部２が受信した場合には、新しく、該放送曲の曲識別信号がＨＤＤ１３に追加記録される。その際、新たに受信した放送曲信号の音質がよければ、ＨＤＤ１３に記録された曲データは該放送曲の圧縮デジタル放送曲信号により記録更新される。
【００４７】
［デジタル放送における複数曲同時受信の処理］
デジタル放送において、受信信号に複数曲の信号が含まれる場合、チューナ２からのデジタル信号ｃに基づき、デコーダ３は受信中の複数の放送曲の曲信号ｅと曲識別データｌをマイコン７に出力する。マイコン７は、ＨＤＤ１３に記録された記憶曲の曲識別データｒとデコーダからの曲識別データｌとを比較して、各放送曲がＨＤＤ１３に記録された記憶曲かどうか判断し、記録されていない曲の場合にはＨＤＤ１３に当該曲の曲信号と曲識別データをＨＤＤ１３に記録する（出力する）。
【００４８】
ユーザの曲選択操作により再生が選択された放送曲（選択放送曲）については、デコーダ３に当該曲の圧縮デジタル放送曲信号ｉを伸張器８ｂに出力するよう指示する制御信号ｔを出力する。従って、当該放送曲の圧縮デジタル放送曲信号ｉは伸張器８ｂで伸張され（非圧縮デジタル放送曲データｊ）さらにＤ／Ａ変換器５でアナログ放送曲信号ｋに変換され、再生元選択部９に出力される。またマイコン７は、選択放送曲がＨＤＤ１３に記録されているか判断し、記録されていれば、その圧縮デジタル記憶曲データｇ（ＨＤＤ１３から読み出す時点ではｆ）を伸張器８ａに出力するとともに、再生元選択部９にＤ／Ａ変換器５ａから出力されるアナログ記憶曲信号ｍをアンプ１１に出力するよう指示する制御信号ｎを出力する。従って、当該記憶曲の圧縮デジタル記憶曲データｇは伸張器８ａで伸張され（非圧縮デジタル記憶曲データｈ）、さらにＤ／Ａ変換器５ａでアナログ記憶曲信号ｍに変換されて再生元選択部９に出力され、そしてアンプ１１で電力増幅されてスピーカ１２から音声として再生されることとなる。
【００４９】
逆に、マイコン７は選択放送曲がＨＤＤ１３に記録されているか判断し、記録されていなければ再生元選択部９にＤ／Ａ変換器５ｂから出力されるアナログ記憶曲信号ｋをアンプ１１に出力するよう指示する制御信号ｎを出力する。従って、当該放送曲の圧縮デジタル放送曲信号ｉは、伸張器８ｂで伸張され（非圧縮デジタルデータｊ）、さらにＤ／Ａ変換器５ｂでアナログ放送曲信号ｋに変換されて再生元選択部９に出力され、そしてアンプ１１で電力増幅されてスピーカ１２から音声として再生されることとなる。
【００５０】
尚、ユーザにより曲選択操作が行われていなければ、マイコン７はアナログ記憶曲データｍをアンプ１１に出力するよう指示する制御信号は出力しない。従って、アンプ１１にアナログ記憶曲データｍは出力されず、スピーカ１２からの音声再生は行われないこととなる。
【００５１】
［再生拒否曲受信の場合の処理］
ＨＤＤ１３には、ユーザが再生（音声出力）を拒否する曲のデータが記録されている。尚、拒否曲を判断するために、拒否曲データとしては、拒否曲の曲識別データあるいは曲データ（曲頭部分）が記録されており、マイコン７は上述の同一曲判断方法と同様の方法により拒否曲の判断を行う。更に、拒否曲データとして、拒否曲受信の場合に受信した拒否曲に変え、代替再生を行う曲の識別データ（ＨＤＤ１３に記録された曲）も記録されている。
【００５２】
マイコン７は、放送曲が拒否曲であると検出した場合に、当該拒否曲に対応した代替曲をＨＤＤ１３の拒否曲データから検索し、当該代替曲の圧縮デジタル記憶曲データｇを伸張器８ａに出力するとともに、再生元選択部９にＤ／Ａ変換器５ａから出力されるアナログ記憶曲信号ｍをアンプ１１に出力するよう指示する制御信号ｎを出力する。従って当該代替曲の圧縮デジタル記憶曲データｇは、伸張器８ａで伸張され（非圧縮デジタル記憶曲データｈ）、さらにＤ／Ａ変換器５ａでアナログ記憶曲信号ｍに変換されて再生元選択部９に出力され、そしてアンプ１１で電力増幅されてスピーカ１２から音声として再生されることとなる。また、マイコン７は、拒否曲の場合には放送曲データをＨＤＤ１３に記録する処理を禁止し（行わず）、拒否曲の圧縮デジタル曲信号がＨＤＤ１３に記録されないようにする。尚、拒否曲の登録は拒否曲再生中に拒否曲登録操作（スイッチ操作等）に基づき行うもので、拒否操作時の放送曲の曲信号の一部（曲頭部分）と曲識別データがＨＤＤ１３に拒否曲データとして記録される。尚、デジタル放送における複数曲同時受信の場合には、複数の放送曲の内、拒否曲だけがＨＤＤ１３に記録されないこととなる（記録済みの曲については曲データの質が記憶データより高い時のみ記録する）。
【００５３】
また、スイッチ操作等については、スイッチ操作が行われるとマイコン７は再生代替曲の選択対象として、ＨＤＤ１３より記憶曲識別データを読み出し、図示省略の表示部に表示する制御信号を出力する。そして表示された画面の指示に基づき使用者が選択した曲名が、再生代替条件（当該代替曲の圧縮デジタル記憶曲データ）として、ＨＤＤ１３に記録される。
【００５４】
尚、記憶曲の音声再生が完了すると、マイコン７は再生元選択部９に、選択放送局のアナログ放送曲信号ａ（アナログ放送の場合）またはアナログ放送信号ｋ（デジタル放送の場合）を音声再生信号ｐとしてアンプ１１に出力するよう制御信号ｎを出力する。
【００５５】
尚、記憶曲の音声再生中においても、放送中の放送波が音楽を放送しているか、音楽放送中断していないかを、音楽であることを示すデジタル信号が放送されているか、デジタル信号が放送されていない場合は音声周波数特性および無音部の有無により判断し、音楽放送が中断したことを検知した場合は、マイコン７は再生元選択部９にアナログ放送波信号ａまたはｋをアンプ１１に出力するよう制御信号を出力する。
【００５６】
従って、放送波が音楽曲信号部分の放送を終了し、アナウンサなどの音声信号の放送を開始した場合には、マイコン７は、放送中の放送曲送信時間と略同時間内に記録曲の音声再生を終結し、アナウンサなどの音声信号の再生に復帰することとなる。
【００５７】
これにより、放送局が放送曲の放送を中断し緊急避難情報などの放送に切り替えた場合でも、この事態に対応し、本音声再生装置１は、記憶曲の音声再生から放送波の音声再生に切換えることが可能となる。
【００５８】
尚、曲は音楽だけでなく、旋律が無い落語や漫才、講談、演説も含めることができる。
【００５９】
また、ナレーション付音楽で、ＨＤＤ１３に記録された記憶曲で置き換えることがユーザにとって適切でない場合もあるので、この置換機能を動作させるか否かを選択する選択スイッチを設けるのが好ましい。
【００６０】
次に上記動作を実現するマイコンが行う処理について説明する。
【００６１】
図２は、マイコン７が実行する曲再生記録処理を示すフローチャートである。尚、この処理は音再生装置１動作中は繰返し実行される。
【００６２】
ステップＳ１では、放送波から音楽曲（物音やアナウンサなど人の声などの音声を除いた純粋に音楽の部分：以下放送曲）が検出されたかどうか判断し、検出されていればステップＳ２に移り、検出されていなければ処理を終える。ステップＳ２では、放送曲の曲データのＨＤＤ１３への記録を開始し、ステップＳ３に移る。ステップＳ３では、放送曲の再生（仮再生）を行うよう指示する制御信号（アナログ放送局信号ａまたはアナログ放送曲信号ｋをアンプ１１に出力するよう指示する制御信号ｎ）を再生元選択部９に出力し、ステップＳ４に移る。ステップＳ４では放送曲と記憶曲のデータを比較し、ステップＳ５に移る。
【００６３】
尚、放送曲と記憶曲のデータの比較は上述した通り、受信する放送波の形態により異なった適切な方法が選択される。
【００６４】
ステップＳ５では、放送曲と同じ曲がＨＤＤ１３に記録されているかどうか判断し、記録されていればステップＳ６に移り、記録されていなければステップＳ１２に移る。ステップＳ６では、該放送曲データと、読み出した記憶曲データの同期処理（再生位置を一致させる）を行い、ステップＳ７に移る。ステップＳ７では、該放送曲データの仮記録を停止してステップＳ８に移る。つまり、同じ曲は既にＨＤＤ１３に記録されているので記録動作を中止する。ステップＳ８では、該放送曲の仮再生を停止して、ステップＳ９に移る。ステップＳ９では、記憶曲データを再生し、ステップＳ１０に移る。ステップＳ１０では、記憶曲データの再生が完了したかどうか判断し、つまり曲の終端に達したか等を判断し、完了していればステップＳ１１に移り、完了していなければ引き続き処理を行う。
【００６５】
ステップＳ１１では、ラジオ（放送波）の再生を行うように再生元選択部９に制御信号を出力し、処理を終える。ステップＳ１２では、該放送曲が終了したか、つまり曲の終端に達したか判断し、完了していれば処理を終え、完了していなければ引き続きこの処理を行う。つまり、（仮）再生状態、（仮）記録状態が中止されることなく、曲の終わりまで続けられることになる（換言すれば、本再生、本記録となる）。
【００６６】
次に、付加機能である該放送曲が再生を拒否する曲である場合の拒否曲処理について説明する。
【００６７】
図３はマイコン７が行う、拒否曲処理を示すフローチャートである。尚、この処理はステップＳ４に続き行われる。
【００６８】
ステップＳ１５では、該放送曲が再生拒否曲かどうか判断し、再生拒否曲であればステップＳ１６に移り、そうで無ければステップＳ５に移る。
【００６９】
尚、該放送曲と拒否曲のデータの比較は上述した通り、受信する放送波の形態に応じた方法により行われる。
【００７０】
ステップＳ１６では、拒否曲に代り再生する予めユーザによりＨＤＤ１３に登録されている再生代替曲の再生代替条件を入力し、ステップＳ１７に移る。ステップＳ１７では、再生条件に合致する代替再生曲をＨＤＤ１３に記録されている曲データから検索し、ステップＳ１８に移る。ステップＳ１８では、代替再生曲を再生し、ステップＳ１９に移る。
【００７１】
ステップＳ１９では、曲の再生が完了したかどうか判断し、完了していれば処理を終え、完了していなければ、引き続きこの処理を行う。
【００７２】
次に、マイコン７の行う拒否曲登録処理について説明する。図４は拒否曲登録処理を示すフローチャートである。この処理は使用者による拒否曲登録を指示するスイッチ操作に基づき開始される。
【００７３】
ステップＳ２２では、再生中の放送曲が拒否曲データに記録済みかどうか判断し、記録済みであれば処理を終え、記録済みでなければ、ステップＳ２３に移る。ステップＳ２３では、代替曲条件（使用者による入力操作）を入力し、ステップＳ２４に移る。ステップＳ２４では、再生代替曲条件をＨＤＤ１３に出力し、処理を終える。尚、再生代替曲条件としては曲名、アーチスト名等が考えられる。
【００７４】
次に、受信部２が受信した放送波に含まれる複数の放送曲データについて、放送曲データの内、記憶されていない曲データを記録する複数曲記録処理について説明する。
【００７５】
図５は複数曲記録処理を示すフローチャートである。尚、この処理はデジタル放送で複数のコンテンツが同時放送（同一放送波）されている場合に実行される。
【００７６】
ステップＳ３１では、デジタル放送信号から、音楽曲データが検出されているかどうか判断し、音楽曲データが検出されていれば、ステップＳ３２に移り、されていなければ処理を終える。ステップＳ３２では、検出した放送曲データのＨＤＤ１３への記録を開始し、ステップＳ３３に移る。ステップＳ３３では、放送曲と、ＨＤＤ１３に記録されている記憶曲の比較（曲識別データによる）を行い、ステップＳ３４に移る。ステップＳ３４では、放送曲と同一の記憶曲が記録されているかどうか判断し、記録されていればＳ３６に移り、いなければステップＳ３５に移る。ステップＳ３５では該放送曲が完了したかどうか判断し、完了していれば処理を終え、完了していなければ引続きこの処理を行う。また、ステップＳ３６では放送曲のＨＤＤ１３への記録を停止し、処理を終える。
【００７７】
尚、複数曲同時受信放送においては、このような処理が各曲について行われ、複数の曲が同時にＨＤＤ１３に記録されることとなる。またこの記録は再生の選択に係わらず、放送波に含まれる複数の放送曲が記録されることとなる。
【００７８】
【発明の効果】
以上詳細に説明した通り、本発明に係わる音声再生装置によれば、放送中の放送曲と同一の記憶曲が存在する場合に、記憶曲が再生されることとなる。従って、受信状態が悪化しても、高音質の音楽曲が楽しめる。
【００７９】
また、複数の曲を同時受信した場合に含まれる複数の放送曲データも記録することができるので、使用者は再生する高品質の曲を手軽に、多様に準備することが可能になる。
【００８０】
さらに、希望しない放送曲に変えて自分の好きな記憶曲を代替演奏するよう予め設定できるので、より音声再生を楽しむことができる。
【図面の簡単な説明】
【図１】本発明の実施の形態に係わる音声再生装置の構成を示す構成図兼動作を説明する説明図
【図２】マイコン７が行う曲再生記録処理を示すフローチャート
【図３】マイコン７が行う拒否曲処理を示すフローチャート
【図４】マイコン７が行う拒否曲登録処理を示すフローチャート
【図５】マイコン７が行う複数曲記録処理を示すフローチャート
【符号の説明】
１・・・・音声再生装置
２・・・・受信部
３・・・・デコーダ
４・・・・Ａ／Ｄ変換器
５・・・・Ｄ／Ａ変換器
６・・・・圧縮器
７・・・・マイコン
８・・・・伸張器
９・・・・再生元選択部
１１・・・・アンプ
１２・・・・スピーカ
１３・・・・ＨＤＤ
【図１】
2004246940.tif 000003
【図２】
2004246940.tif 000004
【図３】
2004246940.tif 000005
【図４】
2004246940.tif 000006
【図５】
2004246940.tif 000007